(57)【要約】      （修正有）【課題】被服のポケットなどに簡単に収まり、持ち運びに便利な小型財布を提供する。【解決手段】小型財布１０は、硬貨収納部２０とカード収納部３０を並設して備えるとともに、硬貨収納部２０とカード収納部３０の裏面側に紙幣収納部４０を備える。小型財布１０を二つ折りした状態では、硬貨収納部２０とカード収納部３０が小型財布１０の内側に、紙幣収納部４０が小型財布１０の外側に位置する。そして、硬貨収納部２０は、硬貨を相対する面ファスナーの両面で挟んで収納する。【選択図】図１
0003179237.tif 000002
【実用新案登録請求の範囲】
【請求項１】
硬貨を面ファスナーの両面で挟んで収納する硬貨収納部を備えたことを特徴とする小型財布。
【請求項２】
硬貨収納部と並設する位置にカード類を収納するカード収納部を備えて、硬貨収納部とカード収納部が重なるように二つ折りされることを特徴とする請求項１記載の小型財布。
【請求項３】
硬貨収納部とカード収納部の裏面側に紙幣を収納する紙幣収納部を備えて、二つ折りした状態で硬貨収納部とカード収納部が財布の内側に紙幣収納部が財布の外側に位置することを特徴とする請求項２記載の小型財布。
【請求項４】
紙幣収納部に切符を収納する切符用ポケットを備えたことを特徴とする請求項３記載の小型財布。
【請求項５】
硬貨収納部は柔らか目の皮革で、カード収納部及び紙幣収納部は少し硬い目の皮革で形成されていることを特徴とする請求項３又は４記載の小型財布。
【考案の詳細な説明】
【技術分野】
【０００１】
本願考案は、被服のポケットなどに簡単に収まり、持ち運びに便利な小型財布に関するものである。
【背景技術】
【０００２】
職場での昼食時などに大きな財布を持って外出することは、非常に面倒で不便である。
この時、必要最低限のお金やカード類を持ち運べる小型の財布があれば、非常に便利である。これまで、小型の財布には、以下のようなものがあった。
（１）特許文献１は、財布をワイシャツのポケットに収容できるように小型、薄型にしたものである。
（２）特許文献２は、カードホルダーにより紙幣を挟持する中央部と、該中央部の左右にそれぞれ連接し折りたたみ時にそれぞれ中央部側に折り返す折り返し部により形成される財布であって、必要以上に厚くなることなく、紙幣の多寡によらず有効に結束できるものである。
【先行技術文献】
【特許文献】
【０００３】
【特許文献１】特開平７−１６３４１３号公報
【特許文献２】実用新案登録第３１６５３０８号公報
【考案の概要】
【考案が解決しようとする課題】
【０００４】
しかしながら、上記する従来技術には、以下のような課題があった。
（１）特許文献１は、財布をワイシャツのポケットに収容できるように小型、薄型にしたものであると記載されているだけあり、具体的な構成・構造は全く開示されていない。
（２）特許文献２は、紙幣やカードは有効に収納できるかもしれないが、硬貨（コイン）を収納できない。
【０００５】
これに対して、本願考案者は、被服のポケットなどに簡単に収まり、持ち運びに便利な従来にない新規な小型財布の提供を目的として、本願考案を完成するに至った。
【課題を解決するための手段】
【０００６】
本願考案の内容は、以下の通りである。
第１の考案は、硬貨を面ファスナーの両面で挟んで収納する硬貨収納部を備えたことを特徴とする小型財布である。
第２の考案は、硬貨収納部と並設する位置にカード類を収納するカード収納部を備えて、硬貨収納部とカード収納部が重なるように二つ折りされることを特徴とするものである。
第３の考案は、硬貨収納部とカード収納部の裏面側に紙幣を収納する紙幣収納部を備えて、二つ折りした状態で硬貨収納部とカード収納部が財布の内側に紙幣収納部が財布の外側に位置することを特徴とするものである。
第４の考案は、紙幣収納部に切符を収納する切符用ポケットを備えたことを特徴とするものである。
第５の考案は、硬貨収納部は柔らか目の皮革で、カード収納部及び紙幣収納部は少し硬い目の皮革で形成されていることを特徴とするものである。
【考案の効果】
【０００７】
本願考案によれば、以下のような効果を有する。
（１）硬貨を面ファスナーの両面で挟んで収納する硬貨収納部を備えることで、硬貨が嵩張ることなく効果的に収納できて、被服のポケットなどに簡単に収まり、持ち運びに便利な小型財布を提供できる。なお、硬貨収納部は、硬貨に限らず、鍵や小物などを収納してもよい。
（２）硬貨収納部と並設する位置にカード類を収納するカード収納部を備えることで、ポイントカードやＩＣカード（電子マネー機能付きのものなど）などを持ち運ぶことができる。
（３）硬貨収納部とカード収納部の裏面側に紙幣を収納する紙幣収納部を備えて、二つ折りした状態で硬貨収納部とカード収納部が財布の内側に紙幣収納部が財布の外側に位置することで、紙幣も持ち運ぶことができる。
（４）紙幣収納部に切符を収納する切符用ポケットを備えたことで、切符（鉄道の回数券など）も持ち運ぶことができる。
（５）硬貨収納部は柔らか目の皮革で、カード収納部及び紙幣収納部は少し硬い目の皮革で形成されていることで、丈夫で且つ使い易い小型財布を提供できる。
【図面の簡単な説明】
【０００８】
【図１】本願考案に係る小型財布の説明図（１）。
【図２】本願考案に係る小型財布の説明図（２）。
【考案を実施するための形態】
【０００９】
本願考案の実施形態を図面に基づいて説明する。
図１は、本願考案に係る小型財布１０の全体図である。
小型財布１０は、硬貨収納部２０とカード収納部３０を並設して備えるとともに、硬貨収納部２０とカード収納部３０の裏面側に紙幣収納部４０を備える。小型財布１０を二つ折りした状態では、硬貨収納部２０とカード収納部３０が小型財布１０の内側に、紙幣収納部４０が小型財布１０の外側に位置する。
【００１０】
硬貨収納部２０は、硬貨を面ファスナーの両面で挟んで収納する部分である。硬貨が面ファスナーで挟まれた状態になるので、収納部内で硬貨の移動が無く、硬貨の偏りによる厚みの発生を防止できる（薄型の財布を効果的に実現できる）。なお、硬貨収納部２０は、硬貨に限らず、鍵や小物などを収納してもよい。
【００１１】
カード収納部３０は、カード類を収納する部分である。クレジットカードやポイントカード、ＩＣカード（定期券、電子マネー機能付きのものなど）などは我々の生活に欠かせないものになっているが、これらのカード類を持ち運ぶことができる。なお、カード収納部３０は、カード類に限らず、名刺や入場券などの小片の紙類などを収納してもよい。
【００１２】
紙幣収納部４０は、紙幣を収納する部分である。なお、紙幣収納部４０は、紙幣に限らず、レシートなどの細長い紙類を収納してもよい。
また、図２にも示すように、紙幣収納部４０に切符５０を収納する切符用ポケット４５を備えてもよい。切符用ポケット４５を備えることで、切符（鉄道の回数券など）も持ち運ぶことができる。
【００１３】
小型財布１０の材質は特に問わないが、例えば、硬貨収納部２０は柔らか目の皮革で、カード収納部３０及び紙幣収納部４０は少し硬い目の皮革で形成されていることで、丈夫で且つ使い易い小型財布１０を提供できる。
【産業上の利用可能性】
【００１４】
本願考案は、被服のポケットなどに簡単に収まり、持ち運びに優れた財布なので、ちょっとした外出時（昼食時や買物時）などに手軽に利用できるものである。
【符号の説明】
【００１５】
１０  小型財布
２０  硬貨収納部
３０  カード収納部
４０  紙幣収納部
４５  切符用ポケット
５０  切符
【図１】
0003179237.tif 000003
【図２】
0003179237.tif 000004
【手続補正書】
【提出日】平成24年8月20日(2012.8.20)
【手続補正１】
【補正対象書類名】実用新案登録請求の範囲
【補正対象項目名】請求項１
【補正方法】変更
【補正の内容】
【請求項１】
相対する面ファスナーを設けて、硬貨を当該面ファスナーの両面で挟んで収納する硬貨収納部を備えたことを特徴とする小型財布。
【手続補正２】
【補正対象書類名】明細書
【補正対象項目名】０００６
【補正方法】変更
【補正の内容】
【０００６】
本願考案の内容は、以下の通りである。
第１の考案は、相対する面ファスナーを設けて、硬貨を当該面ファスナーの両面で挟んで収納する硬貨収納部を備えたことを特徴とする小型財布である。
第２の考案は、硬貨収納部と並設する位置にカード類を収納するカード収納部を備えて、硬貨収納部とカード収納部が重なるように二つ折りされることを特徴とするものである。
第３の考案は、硬貨収納部とカード収納部の裏面側に紙幣を収納する紙幣収納部を備えて、二つ折りした状態で硬貨収納部とカード収納部が財布の内側に紙幣収納部が財布の外側に位置することを特徴とするものである。
第４の考案は、紙幣収納部に切符を収納する切符用ポケットを備えたことを特徴とするものである。
第５の考案は、硬貨収納部は柔らか目の皮革で、カード収納部及び紙幣収納部は少し硬い目の皮革で形成されていることを特徴とするものである。